(57)【要約】      （修正有）【課題】複数個の単位ローラーで広い範囲に刺激を与えることで体表面への作用効果を大きくできる美容ローラーを提供する。【解決手段】把持部と、前記把持部と結合したローラー軸と、前記ローラー軸に回転可能に装着した複数の単位ローラーを有し、前記単位ローラーは、多面体の中心軸方向に垂直な二つの面で多面体を切断したものであって、前記ローラー軸の軸方向の中心部からの距離が大きくなるにしたがって外形が大きい単位ローラーを配置した美容ローラー。【選択図】図２
0003183926.tif 000002
【実用新案登録請求の範囲】
【請求項１】
把持部と、前記把持部と結合したローラー軸と、前記ローラー軸に回転可能に装着した複数の単位ローラーを有し、前記単位ローラーは、多面体の中心軸方向に垂直な二つの面で多面体を切断したものであって、前記ローラー軸の軸方向の中心部からの距離が大きくなるにしたがって、外形が大きい単位ローラーを配置したことを特徴とする美容ローラー。
【請求項２】
前記単位ローラーは、多面体の中心軸方向に垂直な二つの面で多面体を切断した二つの切断面を有し、前記二つの切断面の中間をとおる中間面に対して対称であることを特徴とする請求項１記載の美容ローラー。
【請求項３】
前記ローラー軸の両端部にコ字状把持部と結合する把持部結合部を有し、一方の把持部結合部は、前記把持部と着脱自在であることを特徴とする請求項１または２記載の美容ローラー。
【考案の詳細な説明】
【技術分野】
【０００１】
本考案は、顔面をはじめとする各部位を活性化し、美容効果を高める美容ローラーに関するものである。
【背景技術】
【０００２】
顔面等の皮膚を美しく保つために、皮膚をマッサージして皮膚に刺激を与えることで血行を促進する各種の部材が販売されており、これらの部材には手指によるマッサージに代えて獣毛などを植毛したブラシやゴム、あるいは金属によるのローラーが用いられている。
例えば、複数個のローラーユニットを回転軸に装着した美容ローラー（例えば，特許文献１参照）が提案されている。
【先行技術文献】
【特許文献】
【０００３】
【特許文献１】実用新案登録第３１７８７４１号公報
【考案の概要】
【考案が解決しようとする課題】
【０００４】
従来の美容ローラーは、図７に示すように、外径が同一の単位ローラー１の複数個を直線状に延びた軸に装着し、軸には把持部７に結合したものが知られている。
各単位ローラーは相互に結合していないので個別に回転をするが、人体表面のように曲面状の部位に接触した場合には、一部の単位ローラーのみが人体に対して作用するのみであって、複数個の単位ローラーを設けた場合で広い範囲に刺激を与えることは困難であった。
【課題を解決するための手段】
【０００５】
本考案の課題は、把持部と、前記把持部と結合したローラー軸と、前記ローラー軸に回転可能に装着した複数の単位ローラーを有し、前記単位ローラーは、多面体の中心軸方向に垂直な二つの面で多面体を切断したものであって、前記ローラー軸の軸方向の中心部からの距離が大きくなるにしたがって、外形が大きい単位ローラーを配置した美容ローラーによって解決することができる。
また、前記単位ローラーは、多面体の中心軸方向に垂直な二つの面で多面体を切断した二つの切断面を有し、前記二つの切断面の中間をとおる中間面に対して対称な前記の美容ローラーである。
前記ローラー軸の両端部にコ字状把持部と結合する把持部結合部を有し、一方の把持部結合部は、前記把持部と着脱自在である前記の美容ローラーである。
【考案の効果】
【０００６】
本考案の美容ローラーは、独立して回転する複数の単位ローラーを装着したローラー軸と、前記ローラー軸を結合した把持部とを備え、前記ローラー軸方向の長さ方向の中心部から両端部に向かうほど、外径が大きな単位ローラーを配置したので、把持部を握って皮膚に押し当ててローラーを回転した場合には、曲面状の体表面の広い範囲に効果的に刺激を与えることが可能となる。
【図面の簡単な説明】
【０００７】
【図１】図１は、本考案の一実施例の美容ローラーに装着する単位ローラーを説明する図であり、図１Ａは、斜視図を示し、図１Ｂは、軸と直角方向から見た側面図を示し、図１Ｃは、ローラー軸方向から見た平面図である。
【図２】図２は、本考案の美容ローラーの正面図である。
【図３】図３は、本考案の美容ローラーのローラー軸の中心線を含む平面で切断した断面図である。
【図４】図４は、本考案の各単位ローラーの組み立てを説明する断面図である。
【図５】図５は、本考案の美容ローラーの他の実施態様を説明する図である。
【図６】図６は、本考案の美容ローラーの他の実施態様を説明する図である。
【図７】図７は、従来の美容ローラーを説明する図である。
【考案を実施するための形態】
【０００８】
以下に図面を参照して本発明を説明する。
図１は、単位ローラーを説明する図であり、図１Ａは、斜視図、図１Ｂは、ローラー軸方向と直角方向から見た側面図を示し、図１Ｃは、ローラー軸方向から見た平面図に示す図である。
単位ローラー１は、ローラー軸に装着する装着穴３の中心を中心軸とする多面体を中心軸に垂直な二つの面で切断した構造を有しており、中心軸と直角の両端面５ａ、５ｂに接して面取部６を有している。面取部６の形成によって単位ローラー１の外周部の角部が過度の刺激を与えることがないようにすることができる。
【０００９】
また、本考案の単位ローラー１は、厚み方向の中心線９を、径が最も大きな部分である外径Ｒと一致させるとともに、前記中心線９をとおる軸に垂直な平面に対称とすることで、人体に接触して回転する場合には円滑な回転が可能となる。
また、本考案において単位ローラーの外径とは、単位ローラーの径が最も大きな部分を意味し、好ましくは、上記したように厚み方向の中心線９と一致する最も大きな径の部分である。
【００１０】
単位ローラー１には、各種の金属材料を用いることができる。一例を挙げると、シリコン、アルミニウム、チタンあるいはこれらの合金やステンレス等の熱伝導率、比熱が大きく、日常的な使用環境では腐食が生じにくい材料であって、人体に直接接触してもアレルギー反応が生じることがない安定な材料を用いることが好ましい。
【００１１】
図２は、本考案の美容ローラーを説明する図であり、図２Ａは、軸方向から先端部を見た平面図であり、図２Ｂは側面図である。
図２で示した例では、外径が最も小さな単位ローラー１ａを、軸方向の中心に配置して、その両側に、単位ローラー１ａよりも外径が大きな単位ローラー１ｂを配置している。更に単位ローラー１ｂの外側には、単位ローラー１ｂよりも大きな外径を有する単位ローラー１ｃを配置している。
先端部には、固定ねじ１１をローラー軸（図示しない）にねじ込むことで、各単位ローラーがローラー軸に対して独立して回転可能に取り付けている。また、ローラー軸の他端は、把持部７ａに結合している。
【００１２】
本考案の美容ローラーでは、各単位ローラーの先端部は、接触曲面１３上に位置しているので、本考案の美容ローラーを顔面をはじめとする人体の各部位に適用した場合には、人体の広い部位に対して円滑に接触して刺激を与えることができる。
更に、本考案の美容ローラーを、温水、あるいは冷水に浸漬した後に、マッサージするならば、温熱刺激、冷熱刺激を同時に与えることもできる。
【００１３】
図３は、本考案の美容ローラーの軸の中心線を含む平面で切断した断面図である。
把持部７ａに、接続部材１９を介して取り付けたローラー軸１２には、各単位ローラー１ａ、１ｂ、１ｃを装着している。各単位ローラーとローラー軸との接触面には、軸カバー１３ａ、１３ｂ、１３ｃ、軸受１５ａ、１５ｂ、１５ｃ、およびベアリング１７ａ、１７ｂ、１７ｃを装着している。
これによって、各単位ローラーの保持と、円滑な回転を実現している。
【００１４】
図４は、本考案の各単位ローラーの組み立て工程を説明する図である。
図４Ａは、組み立てが完了した単位ローラーをローラー軸方向から見た図である。単位ローラー１は、軸受１５を有しており、軸受１５内部にはベアリング１７を装着している。
単位ローラー１の組立工程では、図４Ｂに示すように、軸受１５にベアリング１７を装着する。次いで、ベアリング１７を装着した軸受１５を、単位ローラー１の軸に上部から挿入すると共に、下部からは軸カバー１３を挿入する。
更に、上部から挿入した軸受１５と下部から挿入した軸カバーとを一体化することで、図４Ｄに示すように単位ローラーが完成する。
このように各単位ローラーに、ベアリングを装着した軸受と軸カバーとを一体に結合したことで、長期間にわたり各単位ローラーの円滑な動作が可能となる。
これによって、各単位ローラーの保持と、円滑な回転が実現できる。
【００１５】
図５は、本考案の美容ローラーの他の実施態様を説明する図である。
図１から図３では、単位ローラーを装着したローラー軸と把持部の中心とを実質的に直線状に配置する例について説明した。これに対して、図５で示す美容ローラーは、把持部と単位ローラーを装着したローラー軸とを並列状に配置して、コの字状の把持部の両端部をローラー軸の両端部とを結合したものである。
すなわち、単位ローラー１ａ、１ｂ、１ｃを、最も外径が小さな単位ローラー１ａをローラー軸の中心に配置し、中心から両側に向かって径が小から大となるように単位ローラー１ｂ、１ｃを装着したものである。
更に、単位ローラーのローラー軸結合部８ａ，８ｂを、それぞれコの字状の把持部７ｂの把持部結合部１０ａ、１０ｂと結合したものである。
本実施態様の美容ローラーは、コの字状の把持部７ｂを握ることで、所望の部位を美容ローラーによってマッサージを行うことができる。
【００１６】
図６は、本考案の美容ローラーの他の実施態様を説明する図である。
図６で示した美容ローラーは、ローラー軸結合部８ｂを結合部材を介して把持部結合部１０ｂを結合し、把持部結合部１０ｂとローラー軸結合部８ｂとを着脱自在としたものである。
このように、ローラー軸結合部と把持部７ｂとの結合部との一方を着脱自在とすることで、図６に示すように、各単位ローラー１ａ、１ｂ、１ｃを、温水又は冷水２０中に浸漬して、所望の温度に加熱、又は冷却することが可能となる。
各単位ローラー１ａ、１ｂ、１ｃを加熱又は冷却した後に、温水又は冷水中から取り出して、把持部結合部１０ｂを把持部７ｂと結合して、所望の部位に各単位ローラーを接触することで、温熱、あるいは冷熱による作用を利用することができる。
【産業上の利用可能性】
【００１７】
本考案の美容ローラーは、独立して回転する複数の単位ローラーを、ローラー軸方向の長さ方向の中心部から両端部に向かうほど、外径が大きな単位ローラーを配置したので、把持部を握って皮膚に押し当ててローラーを回転した場合に、曲面状の体表面の広い範囲に効果的に刺激を与えることが可能となる。
【符号の説明】
【００１８】
１，１ａ，１ｂ，１ｃ・・・単位ローラー、３・・・装着穴、５ａ，５ｂ・・・両端面、６・・・面取部、７ａ，７ｂ・・・把持部、８ａ，８ｂ・・・ローラー軸結合部、９・・・厚み方向の中心線、１０ａ，１０ｂ・・・把持部結合部、１１・・・固定ねじ、１２・・・ローラー軸、１３・・・接触曲面、１３，１３ａ，１３ｂ，１３ｃ・・・軸カバー、１９・・・接続部材、１５，１５ａ，１５ｂ，１５ｃ・・・軸受、１７，１７ａ，１７ｂ，１７ｃ・・・ベアリング、１９・・・接続部材
【図１】
0003183926.tif 000003
【図２】
0003183926.tif 000004
【図３】
0003183926.tif 000005
【図４】
0003183926.tif 000006
【図５】
0003183926.tif 000007
【図６】
0003183926.tif 000008
【図７】
0003183926.tif 000009